(57)【特許請求の範囲】
【請求項１】
浴槽、洗面槽等の水槽（Ｗ）底部に開設した排水口に着脱自在に装着される、目皿（４）を備えた排水栓（１）において、
その栓蓋（２）を支持する支持軸（３）に毛髪、コンタクトレンズ等を捕捉する目皿（４）を着脱自在に装着したことを特徴とする排水栓の目皿の取付構造であって、
その栓蓋（２）の下面中央部に突起部材（２ａ）を突設し、該突起部材（２ａ）と前記栓蓋（２）を支持する支持軸（３）との間隙に柔軟な材質からなる弾性部材（２ｂ）を配設して、前記栓蓋（２）と前記支持軸（３）を着脱自在に連結したことを特徴とする排水栓の目皿の取付構造。
【請求項２】
浴槽、洗面槽等の水槽（Ｗ）底部に開設した排水口に着脱自在に装着される排水栓（１）において、
その栓蓋（２）を支持する支持軸（３）に毛髪、コンタクトレンズ等を捕捉する目皿（４）を着脱自在に装着したことを特徴とする排水栓の目皿の取付構造であって、
その栓蓋（２）を支持する支持軸（３）の外周面に凹溝を周設し、この凹溝に柔軟な材質からなる弾性部材（５）を嵌入しており、該支持軸（３）において前記弾性部材（５）より上方に毛髪、コンタクトレンズ等を捕捉する目皿（４）を着脱自在に装着したことを特徴とする排水栓の目皿の取付構造。
【請求項３】
浴槽、洗面槽等の水槽（Ｗ）底部に開設した排水口に着脱自在に装着される排水栓（１）において、
その栓蓋（２）を支持する支持軸（３）に毛髪、コンタクトレンズ等を捕捉する目皿（４）を着脱自在に装着したことを特徴とする排水栓の目皿の取付構造であって、
その栓蓋（２）を支持する支持軸（３）は、その下方周部に上方周部よりも細くなるようガイド面を形設し、且つ該支持軸（３）はその外周面に凹溝（３ａ）を周設しており、この凹溝（３ａ）より上方に一部切欠した目皿（４）を配設し、この目皿（４）の不慮の抜脱を防止する掛止部材（６）を前記凹溝（３ａ）に嵌入して成ることを特徴とする排水栓の目皿の取付構造。
【請求項４】
浴槽、洗面槽等の水槽（Ｗ）底部に開設した排水口に着脱自在に装着される排水栓（１）において、
その栓蓋（２）を支持する支持軸（３）に毛髪、コンタクトレンズ等を捕捉する目皿（４）を着脱自在に装着したことを特徴とする排水栓の目皿の取付構造であって、
その栓蓋（２）を支持する支持軸（３）は、その下方を上方より小径に形成し、且つ該支持軸（３）はその外周面に凹溝を周設しており、この凹溝より上方に一部切欠した目皿（４）を配設し、この目皿（４）の不慮の抜脱を防止する掛止部材（６）を前記凹溝に嵌入して成ることを特徴とする排水栓の目皿の取付構造。
【請求項５】
浴槽、洗面槽等の水槽（Ｗ）底部に開設した排水口に着脱自在に装着される排水栓（１）において、
その栓蓋（２）を支持する支持軸（３）に毛髪、コンタクトレンズ等を捕捉する目皿（４）を着脱自在に装着したことを特徴とする排水栓の目皿の取付構造であって、
その栓蓋（２）を支持する支持軸（３）は、中部に横方向の貫穿孔（７）を形設し、この貫穿孔（７）を形成している壁（７ａ）と壁（７ａ）の間隙に掛止突子（８）を軸着しており、この掛止突子（８）より上方に目皿（４）を装着したことを特徴とする排水栓の目皿の取付構造。
【請求項６】
浴槽、洗面水槽等の水槽（Ｗ）底部に開設した排水口に着脱自在に装着される、目皿（４）を備えた排水栓（１）において、
その栓蓋（２）を支持する支持軸（３）に毛髪、コンタクトレンズ等を捕捉する目皿（４）を着脱自在に装着したことを特徴とする排水栓の目皿の取付構造であって、
その栓蓋（２）を支持する支持軸（３）の下端に軸受筒（１０）を着脱自在に覆設して、該支持軸（３）と該軸受筒（１０）の間隙に柔軟な材質からなる弾性部材（１０ａ）を配設したことを特徴とする排水栓の目皿の取付構造。
【請求項７】
浴槽、洗面槽等の水槽（Ｗ）底部に開設した排水口に着脱自在に装着される排水栓（１）において、
その栓蓋（２）を支持する支持軸（３）に毛髪、コンタクトレンズ等を捕捉する目皿（４）を着脱自在に装着したことを特徴とする排水栓の目皿の取付構造であって、
その栓蓋（２）を支持する支持軸（３）に一部切欠した、拡開弾発性を備えた目皿（４）を摺動自在に配設し、また支持軸（３）の下端に軸受筒（１０）を配設したことを特徴とする排水栓の目皿の取付構造。
【発明の詳細な説明】
【０００１】
【発明の属する技術分野】
本発明は浴槽、洗面槽等の水槽底部に開設した排水口に着脱自在に装着される排水栓の目皿の取付構造に関し、詳しくは目皿の捕捉した毛髪の処理を容易に行え、且つ汚れた目皿の洗浄を容易に行えるようにした排水栓の目皿の取付構造に関する。
【０００２】
【従来の技術】
従来より図１２に示すような排水栓が知られている。上部の目皿（４）は排水口ヘ流入してくる毛髪、コンタクトレンズ等を捕捉し、下部の目皿（４）は水槽のオーバーフロー口から流入してくる毛髪、コンタタトレンズ等を捕捉する。上部の目皿（４）はその外周上縁に形設した掛止段部（４ａ）により、排水口部材の内周面において排水口縁部近くに形設された載設段部に載設掛止されている。一方下部の目皿（４）は栓蓋（２）を支持する支持軸（３）に周設したストッパーリング（９）は該支持軸（３）から抜脱することはできない。
また実行平７−６２２２においては、本考案自体は排水栓の目皿の取付構造を主たる構成要素として主張しているわけではないが、目皿の取外しが可能になるように構成されている。具体的には栓体の下方に挿合軸を垂設し、この挿合軸を回転自在に挿合する挿合孔を目皿（ヘアーキャッチ一体）に開設しており、栓体に目皿を着脱自在に装着している。
【０００３】
【発明が解決しようとする課題】
上記従来例のうち前者の従来例においては、目皿は上部、下部共に支持軸から抜脱することが出来ないので、捕捉した毛髪の処理や目皿の洗浄を行うのに手間がかかる。また目皿の洗浄においては、栓蓋に覆われる目皿の上面部や支持軸に摺接している部分の洗浄は困難であり、衛生面でも問題がある。
後者の従来例実公平７−６２２２においては、目皿の抜脱は可能だが、この構造の排水栓では栓蓋の開閉を遠隔操作で行う排水栓装置の排水栓としては適さない。
本発明はこれらの欠点を解決するために発明されたものである。
【０００４】
【課題を解決するための手段】
本発明は、浴槽、洗面槽等の水槽（Ｗ）底部に開設した排水口に着脱自在に装着させる排水栓（１）の栓蓋（２）を支持する支持軸（３）に毛髪、コンタクトレンズ等を捕捉する目皿（４）を着脱自在に装着したことを特徴とする排水栓構造である。詳しくは、前記栓蓋（２）の下面中央部に突起部材（２ａ）を突設し、該突起部材（２ａ）と前記栓蓋（２）を支持する支持軸（３）との間隙に弾性部材（２ｂ）を配設して、前記栓蓋（２）と前記支持軸（３）を着脱自在に連結したものである。
また前記支持軸（３）の外周面に凹溝を周設し、この凹溝に弾性部材（５）を嵌入しており、該支持軸（３）において前記弾性部材（５）より上方に目皿（４）を着脱自在に装着したものである。
また前記支持軸（３）は、その下方周部にガイド面（３ｂ）を形設するか、もしくは、その下方を上方より小径に形成し、且つ該支持軸（３）はその外周面に凹溝（３ａ）を周設しており、この凹溝（３ａ）より上方に一部切欠し、この目皿の不慮の抜脱を防止する掛止部材（６）を前記凹溝（３ａ）に嵌入して成るものである。
また前記支持軸（３）は、中部に横方向の貫穿孔（７）を形設し、この貫穿孔（７）を形成している壁（７ａ）と壁（７ａ）の間隙に掛止突子（８）を軸着している。この掛止突子（８）より上方に目皿（４）を装着して成るものである。また前記支持軸（３）の下端に軸受筒（１０）を着脱自在に覆設して、該支持軸（３）と該軸受筒（１０）の間隙に弾性部材（１０ａ）を配設したものである。
また前記支持軸（３）に一部切欠した、拡開弾発性を備えた目皿（４）を摺動自在に配設し、また支持軸（３）の下端に軸受筒（１０）を配設したものである。
【０００５】
【発明の実施の形態】
以下、本発明の実施の形態について説明する。まず第１の実施の形態について図１及び図２に基づいて説明する。浴槽、洗面槽等の水槽（Ｗ）底部に開設した排水口に着脱自在に装着される排水栓（１）において、その栓蓋（２）の下面中央部に筒状の突起部材（２ａ）を突設し、その内周面に筒状の該突起部材（２ａ）の孔径より小径なる柔軟な材質からなる弾性部材（２ｂ）を配設している。前記栓蓋（２）を支持する丸棒状の支持軸（３）が栓蓋（２）の下面から垂設しており、この支持軸（３）と栓蓋（２）を連結させるために前記弾性部材（２ａ）を嵌入させる嵌入溝を周設している。前記支持軸（３）には外周面の略中央部にリング状の掛止部材（６）が周設されており、この掛止部材（６）より上方に毛髪、コンタクトレンズ等を捕捉する目皿（４）を２個支持軸（３）に周設している。この２個の目皿（４）は支持軸（３）の上端から掛止部材（６）までの間において摺動自在に取り付けられている。
【０００６】
次に本発明の第２の実施の形態について図３に基づいて説明する。浴槽、洗面槽等の水槽（Ｗ）底部に開設した排水口に着脱自在に装着される排水栓（１）において、その栓蓋（２）を支持する丸棒状の支持軸（３）が栓蓋（２）の下面から垂設している。この支持軸（３）の外周面の略中央部に凹溝を周設し、この凹溝に支持軸（３）より僅かに大径なる柔軟な材質からなる弾性部材（５）を嵌入しており、この弾性部材（５）より上方に毛髪、コンタクトレンズ等を捕捉する２個の目皿（４）を摺動自在に取り付けている。
【０００７】
次に本発明の第３の実施の形態について図４、図５及び図６に基づいて説明する。浴槽、洗面槽等の水槽（Ｗ）底部に開設した排水口に着脱自在に装着される排水栓（１）において、その栓蓋（２）を支持する丸棒状の支持軸（３）は、その下方周部にガイド面（３ｂ）を形設してその上方周部よりも細くなるように形成されている。また前記支持軸（３）はその外周面の略中央部に凹溝（３ａ）を周設している。この凹溝（３ａ）より上方に、毛髪、コンタクトレンズ等を捕捉する２個の目皿（４）を摺動自在に取り付けており、この目皿（４）は一部切欠した平面上はＣ字型の形状を成している。この目皿（４）の不慮の抜脱を防止する、一部切欠したＣ字型の掛止部材（６）を前記凹溝（３ａ）に嵌入して設けている。
【０００８】
次に本発明の第４の実施の形態について図７に基づいて説明する。浴槽、洗面槽等の水槽（Ｗ）底部に開設した排水口に着脱自在に装着される排水栓（１）において、その栓蓋（２）を支持する丸棒状の支持軸（３）は、その下方を上方より小径に形成している。また前記支持軸（３）はその外周面の略中央部に凹溝を周設している。この凹溝より上方に、毛髪、コンタクトレンズ等を捕捉するこの目皿（４）を摺動自在に取り付けており、この目皿（４）は一部切欠した平面上はＣ字型の形状を成している。この目皿（４）の不慮の抜脱を防止する、一部切欠したＣ字型の掛止部材（６）を前記凹溝に嵌入して設けている。
【０００９】
次に本発明の第５の実施の形態について図８、図９、図１０、図１１、図１２及び図１３に基づいて説明する。浴槽、洗面槽等の水槽（Ｗ）底部に開設した排水口に着脱自在に装着される排水栓（１）において、その栓蓋（２）を支持する丸棒状の支持軸（３）は、その中央部に横方向の貫穿孔（７）を形設している。この貫穿孔（７）を形成している壁（７ａ）と壁（７ａ）に間隙にピンを貫設して、このピンにより掛止突子（８）が軸着されれいる。この掛止突子（８）より上方に、毛髪、コンタクトレンズ等を捕捉する２個の目皿（４）を摺動自在に取り付けている。尚この実施例では図８及び図１２により前記掛止突子（８）は２種類示す。図８のものはピンを介して２個の掛止突子を軸着したものであり、図１２のものは１個の掛止突子を回動自在に軸着したものである。
【００１０】
次に本発明の第６の実施の形態について図１４に基づいて説明する。浴槽、洗面槽等の水槽（Ｗ）底部に開設した排水口に着脱自在に装着される排水栓（１）において、その栓蓋（２）を支持する支持軸（３）の下端に凹溝を周設している。この凹溝に嵌入させる柔軟な材質からなる弾性部材（１０ａ）を内設した軸受筒（１０）を該支持軸（３）下端に覆設している。毛髪、コンタクトレンズなどを捕捉する目皿（４）は前記栓蓋（２）と前記軸受筒（１０）との間に支持軸（３）周部に摺動自在に取り付けられている。
【００１１】
次に本発明の第７の実施の形態について図１５に基づいて説明する。浴槽、洗面槽等の水槽（Ｗ）底部に開設した排水口に着脱自在に装着される排水栓（１）において、その栓蓋（２）を支持する支持軸（３）に一部切欠した、拡開弾発性を備えた目皿（４）を摺動自在に取り付けている。前記支持軸（３）の下端には軸受筒（１０）を配設している。
【００１２】
本発明は以上のような構造でこれを使用する時は、まず第１の実施の形態においては、目皿（４）を排水栓（１）より取り外す際は、上方に栓蓋（２）を引き上げると、栓蓋（２）の下面中央部に突設した筒状の突起部材（２ａ）に内設した弾性部材（２ｂ）は柔軟な材質であるため、栓蓋（２）は支持軸（３）に周設した嵌入溝から抜脱して後、支持軸（３）を乗越え遂には栓蓋（２）は支持軸（３）から脱着される。この後目皿（４）は支持軸（３）の周面を上方へ摺動して脱着される。
【００１３】
次に第２の実施の形態においては、目皿（４）を排水栓（１）より取外す際は、目皿（４）を下方に引下げると、支持軸（３）の略中央部に周設した弾性部材（５）を乗越えて、目皿（４）は支持軸（３）の周面を下方へ摺動して脱着される。
【００１４】
次に第３の実施の形態においては、目皿（４）を排水栓（１）より取外す際は、図５に示すようにまず支持軸（３）の略中央部に周設したＣ字形状の掛止部材（６）を脱着する。この掛止部材（６）は樹脂製であるため弾性を備えており、支持軸（３）から脱着する際拡開するものである。この掛止部材（６）の脱着後、目皿（４）を支持軸下方周部に、上方周部よりも細くなるよう形設したガイド面まで引下げ目皿（４）の切欠部分が支持軸（３）のガイド面に嵌合するまで回動させた後、図６に示すように目皿（４）を横方向に引くと目皿（４）は支持軸（３）より脱着される。
【００１５】
次に第４の実施の形態においては、目皿（４）を排水栓（１）より取外す際は、まず支持軸（３）の略中央部に周設したＣ字形状の掛止部材（６）を脱着する。
この掛止部材（６）は樹脂製であるため弾性を備えており、支持軸（３）から脱着する際拡開するものである。この掛止部材（６）の脱着後、目皿（４）を支持軸（３）の小径部まで引下げ、横方向に引くと目皿（４）は支持軸（３）より脱着される。
【００１６】
次に第５の実施の形態においては、目皿（４）を排水栓（１）より取外す際は、図９に示すように支持軸（３）周面より突出した掛止突子（８）を貫穿孔（７）に嵌入して後、目皿（４）は支持軸（３）の周面を下方へ摺動して脱着される。
【００１７】
次に第６の実施の形熊においては、目皿（４）を排水栓より取り外す際は、下方に軸受筒（１０）を引き下げると、軸受筒（１０）に内設した弾性部材（１０ａ）は柔軟な材質であるため、該軸受筒（１０）は支持軸（３）の下端に周設した嵌入溝から抜脱して後、支持軸（３）を乗り越え遂には軸受筒（１０）は支持軸（３）から脱着される。この後目皿（４）は支持軸（３）の周面を下方へ摺動して脱着される。
【００１８】
次に第７の実施の形態においては、目皿（４）を排水栓（１）より取り外す際は、一部切欠した目皿（４）を横方向に引く。この目皿は（４）は拡開弾発性を備えているので、拡開して支持軸（３）周面を乗り越えて脱着される。
【００１９】
【発明の効果】
本発明は浴槽、洗面槽等の水槽底部に開設した排水口に着脱自在に装着される排水栓の栓蓋を支持する支持軸に毛髪、コンタクトレンズ等を捕捉する目皿を着脱自在に装着したことを特徴とする排水栓の目皿の取付構造であるから以下の優れた効果を奏する。
【００２０】
（１）目皿を排水栓から脱着させることができるので、目皿に捕捉された毛髪を取除くのに栓蓋や支持軸が障害にならず容易に行える。
【００２１】
（２）また目皿の洗浄を、目皿のリブとリブの間といった細部にわたり行えるので衛生的に優れている。
【００２２】
（３）また本発明の第１から第７の実施の形態のいずれもその構造上、排水栓からの目皿の脱着を容易に行うことができる。
【図面の簡単な説明】
【図１】    本発明の第１の実施の形態を示す一部断面正面図である。
【図２】    図１中Ａ部の拡大半部分断面図である。
【図３】    本発明の第２の実施の形態を示す正面図である。
【図４】    本発明の第３の実施の形態を示す正面図である。
【図５】    本発明の第３の実施の形態の掛止部材の脱着状態を示す斜視図である。
【図６】    本発明の第３の実施の形態の目皿の脱着状態を示す斜視図である。
【図７】    本発明の第４の実施の形態を示す正面図である。
【図８】    本発明の第５の実施の形態を示す正面図である。
【図９】    本発明の第５の実施の形態の掛止部材を貫穿孔に嵌入した状態を示す正面図である。
【図１０】  本発明の第５の実施の形態を示す斜視図である。
【図１１】  本発明の第５の実施の形態の目皿の脱着後の状態を示す斜視図である。
【図１２】  本発明の第５の実施の形態を示す正面図である。
【図１３】  本発明の第５の実施の形態の掛止部材を貫穿孔に嵌入した状態を示す正面図である。
【図１４】  本発明の第６の実施の形態を示す半部分断面正面図である。
【図１５】  本発明の第７の実施の形態を示す正面図である。
【図１６】  従来例の正面図である。
【図１７】  水槽への排水栓の装着状態を示す断面図である。
【符号の説明】
Ｗ 水槽
１ 排水栓
２ 栓蓋
２ａ 突起部材
２ｂ 弾性部材
３ 支持軸
３ａ 凹溝
４ 目皿
４ａ 掛止段部
５ 弾性部材
６ 掛止部材
７ 貫穿孔
７ａ 壁
８ 掛止突子
９ ストッパーリング
１０ 軸受筒
１０ａ 弾性部材
【図１】
0003928144.tif 000002
【図２】
0003928144.tif 000003
【図３】
0003928144.tif 000004
【図４】
0003928144.tif 000005
【図５】
0003928144.tif 000006
【図６】
0003928144.tif 000007
【図７】
0003928144.tif 000008
【図８】
0003928144.tif 000009
【図９】
0003928144.tif 000010
【図１０】
0003928144.tif 000011
【図１１】
0003928144.tif 000012
【図１２】
0003928144.tif 000013
【図１３】
0003928144.tif 000014
【図１４】
0003928144.tif 000015
【図１５】
0003928144.tif 000016
【図１６】
0003928144.tif 000017
【図１７】
0003928144.tif 000018